(57)【要約】【課題】商品の売場において商品の価格変更を効率的かつタイミングよく作業性良好に実行し、通常価格を表示した値札（タグ１Ａ）の体裁を損なうことなく、商品の購入者に分かりやすい価格変更の表示を行うことができるようにした価格変更用ラベル貼付けシートおよびこれを用いた価格変更方法を提供すること。【解決手段】タグ１Ａその他の値札に貼り付け可能な価格変更用ラベル貼付けシート１０を準備し、価格変更用ラベル貼付けシート１０に価格変更用ラベル１７を貼り付けることに着目し、シート本体１１は、シート本体１１を値札（タグ１Ａ）に貼り付けるための本体貼付け領域１２と、本体貼付け領域１２の下方側に位置するとともに、商品の価格変更を表示する価格変更用ラベル１７を貼り付けるためのラベル貼付け領域１３と、を有することを特徴とする。【選択図】図２
2014089378.tif 000002
【特許請求の範囲】
【請求項１】
商品の値札に貼り付けてこの商品の価格の変更を表示可能とする価格変更用ラベル貼付けシートであって、
シート本体を有し、
このシート本体は、
このシート本体を前記値札に貼り付けるための本体貼付け領域と、
この本体貼付け領域の下方側に位置するとともに、前記商品の価格変更を表示する価格変更用ラベルを貼り付けるためのラベル貼付け領域と、
を有することを特徴とする価格変更用ラベル貼付けシート。
【請求項２】
前記本体貼付け領域は、前記シート本体を前記値札の裏面に貼り付け可能としていることを特徴とする請求項１記載の価格変更用ラベル貼付けシート。
【請求項３】
前記本体貼付け領域は、前記シート本体を前記値札の表面に貼り付け可能としていることを特徴とする請求項１記載の価格変更用ラベル貼付けシート。
【請求項４】
前記本体貼付け領域は、本体粘着剤層を有し、
前記ラベル貼付け領域は、前記シート本体におけるこの本体粘着剤層側の面にこれを形成していることを特徴とする請求項１または２記載の価格変更用ラベル貼付けシート。
【請求項５】
前記本体貼付け領域は、本体粘着剤層を有し、
前記ラベル貼付け領域は、前記シート本体におけるこの本体粘着剤層側とは反対側の面にこれを形成していることを特徴とする請求項１または３記載の価格変更用ラベル貼付けシート。
【請求項６】
前記シート本体は、これを透明基材から構成することを特徴とする請求項１ないし５のいずれかに記載の価格変更用ラベル貼付けシート。
【請求項７】
前記本体貼付け領域には、不正貼替え防止用切込みを設けていることを特徴とする請求項１ないし６のいずれかに記載の価格変更用ラベル貼付けシート。
【請求項８】
前記シート本体には、前記ラベル貼付け領域を前記本体貼付け領域から切り離し可能なミシン目を形成していることを特徴とする請求項１ないし７のいずれかに記載の価格変更用ラベル貼付けシート。
【請求項９】
前記ラベル貼付け領域に隣接して、販売促進情報表示領域を設けていることを特徴とする請求項１ないし８のいずれかに記載の価格変更用ラベル貼付けシート。
【請求項１０】
前記ラベル貼付け領域とは反対側の前記シート本体の面に、販売促進情報表示領域を設けていることを特徴とする請求項１ないし８のいずれかに記載の価格変更用ラベル貼付けシート。
【請求項１１】
前記シート本体には、前記ラベル貼付け領域側に折り畳むことにより少なくとも前記ラベル貼付け領域を被覆可能である透明な被覆領域を設けていることを特徴とする請求項１ないし１０のいずれかに記載の価格変更用ラベル貼付けシート。
【請求項１２】
前記被覆領域には、前記被覆領域を前記ラベル貼付け領域側に向かって折り畳みを容易とする折畳み線を設けていることを特徴とする請求項１１記載の価格変更用ラベル貼付けシート。
【請求項１３】
前記価格変更用ラベルには、前記商品の割引率および変更価格を表示可能としていることを特徴とする請求項１ないし１２のいずれかに記載の価格変更用ラベル貼付けシート。
【請求項１４】
商品の値札に貼り付けてこの商品の価格の変更を表示可能とする価格変更用ラベル貼付けシートを用いた価格変更方法であって、
前記価格変更用ラベル貼付けシートは、シート本体を有し、
このシート本体は、
このシート本体を前記値札に貼り付けるための本体貼付け領域と、
この本体貼付け領域の下方側に位置するとともに、前記商品の価格変更を表示する価格変更用ラベルを貼り付けるためのラベル貼付け領域と、
を有しており、
前記商品の価格変更を表示した前記価格変更用ラベルを前記ラベル貼付け領域に貼り付けるとともに、
前記本体貼付け領域において前記価格変更用ラベル貼付けシートを前記値札に貼り付けることを特徴とする価格変更用ラベル貼付けシートを用いた価格変更方法。
【発明の詳細な説明】
【技術分野】
【０００１】
本発明は価格変更用ラベル貼付けシートおよびこれを用いた価格変更方法にかかるもので、とくに下げ札と呼ばれる値札（タグ）に貼り付けて各種商品の価格についてその変更（値引き）を表示するための価格変更用ラベル貼付けシートおよびこれを用いた価格変更方法に関するものである。
【背景技術】
【０００２】
従来からの価格変更方法について、図１３および図１４にもとづき概説する。
図１３は、従来の価格変更方法（値引き表示方法）の一例を示した値札たとえばタグ１の平面図であって、タグ１には、商品の通常価格２とともに、管理番号３やバーコード４などを印字している。
なお、タグ１の上部中央には、このタグ１を任意の商品（図示せず）に吊り下げるための吊下げ糸ないしファスナー（ともに図示せず）を通す吊下げ用孔５を貫通形成している。
表示した商品の通常価格２を価格変更（値引き）する場合には、上記通常価格２、管理番号３およびバーコード４に加えて、たとえば、この通常価格２からの割引率６および変更価格７（値引き価格）を新たに印字したタグ１として準備する必要がある。
【０００３】
図１４は、従来の価格変更方法の他の例を示したタグ１Ａ（値札）の平面図であり、タグ１Ａの通常価格２を変更したい場合に、タグ１Ａとは別に準備した価格変更シール８に上記変更価格７を印字して、この価格変更シール８をタグ１Ａに貼り付けている。
【０００４】
こうした従来の価格変更方法では、価格変更シール８あるいは変更価格７が、タグ１あるいはタグ１Ａの表面自体に表示され、あるいは取り付けられることになるため、タグ１およびタグ１Ａそのものの体裁が悪くなるとともに、このタグ１およびタグ１Ａにより通常価格２を表示した商品がセールス対象品ないし値引き対象商品であることが目立たず、その価格変更が行われているとの宣伝効果が低いという問題がある。
【０００５】
さらに、値引きセール期間が終了して、通常の通常価格２に戻したい場合に、その通常価格２を印字して、新たにタグ１あるいはタグ１Ａを準備する必要がある。すなわち、タグ１およびタグ１Ａを交換する手間が必要であり、作業能率が悪いという問題がある。
【０００６】
さらに、割引率６のみの表示では、商品の購入者が変更価格７が具体的にいくらになるのかを直ちに把握することが困難な場合が多いという問題がある。
一般的には、図１３に示すように、タグ１に割引率６および変更価格７を同時に表示することが望ましいが、通常は売場とは離れたバックヤードなどに設置されている卓上型のプリンターを用いて、価格変更用として割引率６および変更価格７を適宜設定してタグ１を印字し直すことは機動性ないし作業性に劣るという問題がある。
また、図１４に示すように、価格変更シール８に印字してタグ１Ａに貼り付ける手法もあるが、上述のようにタグ１Ａ自体の体裁およびタグ１Ａの表示スペースが限られてしまうという問題がある。
なおまた、上述のように、商品の割引率６だけの表示の場合には、実際の変更価格がいくらになるのかがわかりにくいとともに、とくに商品を複数点購入した場合には、なおさら、値下げ後の価格の総計がわかりにくくなってしまうという問題がある。
【０００７】
しかして、売場における実際の販売作業では、売れ筋や時間的なタイミングを図って価格変更を適切かつ迅速に行う必要がある反面、その価格変更のためのタグ１あるいはタグ１Ａや価格変更シール８を必要とする商品の絶対数は、通常価格２を表示した他の商品群に比較して相対的に少量であり、価格変更用の価格変更シール８を事前に大量に準備しておくわけにはいかないという事情がある。
しかも、商品についての価格変更処理は商品販売上、これを避けられないことでもあって、如何に効率的かつタイミングよく作業性良好に価格変更を行うかについての解決策が望まれているという問題がある。
【先行技術文献】
【特許文献】
【０００８】
【特許文献１】特開２００３−２４１６６３号公報
【発明の概要】
【発明が解決しようとする課題】
【０００９】
本発明は以上のような諸問題にかんがみなされたもので、商品の価格変更を効率的かつタイミングよく作業性良好に実行可能な価格変更用ラベル貼付けシートおよびこれを用いた価格変更方法を提供することを課題とする。
【００１０】
また本発明は、商品の売場において必要に応じて適時、価格変更処理を可能とした価格変更用ラベル貼付けシートおよびこれを用いた価格変更方法を提供することを課題とする。
【００１１】
また本発明は、価格変更を行う商品の点数が少量であっても、適宜対応可能な価格変更用ラベル貼付けシートおよびこれを用いた価格変更方法を提供することを課題とする。
【００１２】
また本発明は、商品の通常価格を表示した値札の体裁を損なうことなく、価格変更を適切に表示可能な価格変更用ラベル貼付けシートおよびこれを用いた価格変更方法を提供することを課題とする。
【００１３】
また本発明は、商品の割引率および変更価格を同時に表示可能として、商品の購入者に分かりやすい価格変更の表示を行うことができるようにした価格変更用ラベル貼付けシートおよびこれを用いた価格変更方法を提供することを課題とする。
【課題を解決するための手段】
【００１４】
すなわち本発明は、タグその他の値札に貼り付け可能な価格変更用ラベル貼付けシートを準備し、この価格変更用ラベル貼付けシートに価格変更用ラベルを貼り付けることに着目したもので、第一の発明は、商品の値札に貼り付けてこの商品の価格の変更を表示可能とする価格変更用ラベル貼付けシートであって、シート本体を有し、このシート本体は、このシート本体を上記値札に貼り付けるための本体貼付け領域と、この本体貼付け領域の下方側に位置するとともに、上記商品の価格変更を表示する価格変更用ラベルを貼り付けるためのラベル貼付け領域と、を有することを特徴とする価格変更用ラベル貼付けシートである。
【００１５】
第二の発明は、商品の値札に貼り付けてこの商品の価格の変更を表示可能とする価格変更用ラベル貼付けシートを用いた価格変更方法であって、上記価格変更用ラベル貼付けシートは、シート本体を有し、このシート本体は、このシート本体を上記値札に貼り付けるための本体貼付け領域と、この本体貼付け領域の下方側に位置するとともに、上記商品の価格変更を表示する価格変更用ラベルを貼り付けるためのラベル貼付け領域と、を有しており、上記商品の価格変更を表示した上記価格変更用ラベルを上記ラベル貼付け領域に貼り付けるとともに、上記本体貼付け領域において上記価格変更用ラベル貼付けシートを上記値札に貼り付けることを特徴とする価格変更用ラベル貼付けシートを用いた価格変更方法である。
【００１６】
上記本体貼付け領域は、上記シート本体を上記値札の裏面に貼り付け可能としている。
【００１７】
上記本体貼付け領域は、上記シート本体を上記値札の表面に貼り付け可能としている。
【００１８】
上記本体貼付け領域は、本体粘着剤層を有し、上記ラベル貼付け領域は、上記シート本体におけるこの本体粘着剤層側の面にこれを形成している。
【００１９】
上記本体貼付け領域は、本体粘着剤層を有し、上記ラベル貼付け領域は、上記シート本体におけるこの本体粘着剤層側とは反対側の面にこれを形成している。
【００２０】
上記シート本体は、これを透明基材から構成することができる。
【００２１】
上記本体貼付け領域には、不正貼替え防止用切込みを設けている。
【００２２】
上記シート本体には、上記ラベル貼付け領域を上記本体貼付け領域から切り離し可能なミシン目を形成している。
【００２３】
上記ラベル貼付け領域に隣接して、販売促進情報表示領域を設けている。
【００２４】
上記ラベル貼付け領域とは反対側の上記シート本体の面に、販売促進情報表示領域を設けている。
【００２５】
上記シート本体には、上記ラベル貼付け領域側に折り畳むことにより少なくとも上記ラベル貼付け領域を被覆可能である透明な被覆領域を設けている。
【００２６】
上記被覆領域には、上記被覆領域を上記ラベル貼付け領域側に向かって折り畳みを容易とする折畳み線を設けている。
【００２７】
上記価格変更用ラベルには、上記商品の割引率および変更価格を表示可能としている。
【発明の効果】
【００２８】
本発明による価格変更用ラベル貼付けシートおよびこれを用いた価格変更方法においては、価格変更用ラベル貼付けシートに価格変更用ラベルを貼り付け、この価格変更用ラベル貼付けシートを値札に貼り付けるようにしたので、価格変更用ラベルには、売場に容易に携帯可能な携帯式ラベル印字貼付け機あるいは小型の携帯式サーマルプリンターを用いて、商品の割引率および値引き価格（変更価格）などの可変情報を必要に応じてタイミングよく表示することができ、販売のタイミングを逸することなく販売促進効果を期待することができる。
【００２９】
とくに第一の発明の価格変更用ラベル貼付けシートによれば、この価格変更用ラベル貼付けシートを標準的な価格変更用基材として大量に準備しておくことができるとともに、商品の売場において必要に応じて価格変更用ラベルを作成し、この価格変更用ラベルを価格変更用ラベル貼付けシートに貼り付けて価格変更処理を容易に実行することができる。
【００３０】
とくに第二の発明の価格変更用ラベル貼付けシートを用いた価格変更方法によれば、標準的な価格変更用ラベル貼付けシートに、割引率や変更価格など任意の可変情報を表示した価格変更用ラベルを貼り付けるだけで、値札自体には何らの変更を加えることなく、値札に対して価格変更処理を施すことが可能となり、機動性および作業性に優れた処理を実現することができる。
【図面の簡単な説明】
【００３１】
【図１】本発明の第１の実施例による価格変更用ラベル貼付けシート１０の説明図であって、図１（１）は、価格変更用ラベル貼付けシート１０の平面図、図１（２）は、価格変更用ラベル貼付けシート１０の側面図である。
【図２】同、価格変更用ラベル貼付けシート１０に価格変更用ラベル１７を貼り付けて価格変更を行う処理の説明図であり、図２（１）は、価格変更用ラベル貼付けシート１０に価格変更用ラベル１７を貼り付けた状態の平面図、図２（２）は、価格変更用ラベル１７付きの価格変更用ラベル貼付けシート１０をタグ１Ａに貼り付けた状態の平面図、図２（３）は、価格変更用ラベル１７付きの価格変更用ラベル貼付けシート１０をタグ１Ａに貼り付けた状態の側面図である。
【図３】同、携帯式ラベル印字貼付け機２３の概略側断面図である。
【図４】同、携帯式サーマルプリンター２４の概略側断面図である。
【図５】本発明の第２の実施例による価格変更用ラベル貼付けシート６０の説明図であって、図５（１）は、価格変更用ラベル貼付けシート６０の平面図、図５（２）は、価格変更用ラベル貼付けシート６０の側面図である。
【図６】同、価格変更用ラベル貼付けシート６０に価格変更用ラベル１７を貼り付けて価格変更を行う処理の説明図であり、図６（１）は、価格変更用ラベル貼付けシート６０に価格変更用ラベル１７を貼り付けた状態の平面図、図６（２）は、被覆領域６１を折り畳んでラベル貼付け領域１３および販売促進情報表示領域１４を被覆した状態の平面図、図６（３）は、価格変更用ラベル１７付きの価格変更用ラベル貼付けシート６０をタグ１Ａに貼り付けた状態の平面図、図６（４）は、価格変更用ラベル１７付きの価格変更用ラベル貼付けシート６０をタグ１Ａに貼り付けた状態の側面図である。
【図７】本発明の第３の実施例による価格変更用ラベル貼付けシート７０の平面図である。
【図８】本発明の第４の実施例による価格変更用ラベル貼付けシート８０の平面図である。
【図９】本発明の第５の実施例による価格変更用ラベル貼付けシート９０の説明図であって、図９（１）は、価格変更用ラベル貼付けシート９０の平面図、図９（２）は、価格変更用ラベル貼付けシート９０の側面図である。
【図１０】同、価格変更用ラベル貼付けシート９０に価格変更用ラベル１７を貼り付けて価格変更を行う処理の説明図であって、図１０（１）は、価格変更用ラベル１７付きの価格変更用ラベル貼付けシート９０をタグ１Ａに貼り付けた状態の平面図、図１０（２）は、価格変更用ラベル１７付きの価格変更用ラベル貼付けシート９０をタグ１Ａに貼り付けた状態の側面図である。
【図１１】本発明の第６の実施例による価格変更用ラベル貼付けシート１００の説明図であって、図１１（１）は、価格変更用ラベル貼付けシート１００の平面図、図１０（２）は、価格変更用ラベル貼付けシート１００の側面図である。
【図１２】同、価格変更用ラベル貼付けシート１００に価格変更用ラベル１７を貼り付けて価格変更を行う処理の説明図であって、図１２（１）は、価格変更用ラベル１７付きの価格変更用ラベル貼付けシート１００をタグ１Ａに貼り付けた状態の平面図、図１２（２）は、価格変更用ラベル１７付きの価格変更用ラベル貼付けシート１００をタグ１Ａに貼り付けた状態の側面図、図１２（３）は、価格変更用ラベル貼付けシート１００をタグ１Ａに貼り付けた状態をタグ１Ａの裏面側から見た平面図である。
【図１３】従来の価格変更方法（値引き表示方法）の一例を示した値札たとえばタグ１の平面図である。
【図１４】従来の価格変更方法の他の例を示したタグ１Ａ（値札）の平面図である。
【発明を実施するための形態】
【００３２】
本発明は、可変情報を表示可能な価格変更用ラベルを価格変更用ラベル貼付けシートに貼り付けるようにしたので、臨機応変に価格変更処理をタイミングよくかつ体裁よく行うことができる価格変更用ラベル貼付けシートおよびこれを用いた価格変更方法を実現した。
【実施例】
【００３３】
つぎに本発明の第１の実施例による価格変更用ラベル貼付けシート１０およびこれを用いた価格変更方法を図１ないし図４にもとづき説明する。ただし、図１３および図１４と同様の部分には同一符号を付し、その詳述はこれを省略する。
図１は、価格変更用ラベル貼付けシート１０の説明図であって、図１（１）は、価格変更用ラベル貼付けシート１０の平面図、図１（２）は、価格変更用ラベル貼付けシート１０の側面図である。
価格変更用ラベル貼付けシート１０は、商品の値札（前記タグ１Ａ、図１４）に貼り付けて、この商品の価格の変更を表示可能とするものであって、シート本体１１を有する。
【００３４】
シート本体１１は、任意の厚さを有する紙材や合成樹脂材によりこれを構成しており、図示の例では合成樹脂材による透明基材あるいは半透明基材を用いており、本体貼付け領域１２と、ラベル貼付け領域１３と、販売促進情報表示領域１４と、を有する。
【００３５】
本体貼付け領域１２は、任意の粘着剤を塗工した本体粘着剤層１５を有して、シート本体１１を値札（タグ１Ａ）の裏面（図２（３）参照、後述）に貼り付け可能とする。
本体貼付け領域１２には、不正貼替え防止用切込み１６を設けている。不正貼替え防止用切込み１６は図示の例では、単純な「×」印形状に切り込みを入れてあるが、本体貼付け領域１２部分を無理にはがして不正に貼り替えようとすると本体貼付け領域１２が破断してしまうような任意の形状の切込みを採用可能である。したがって、価格変更用ラベル貼付けシート１０をタグ１Ａから不正にはがして別の商品の値札に貼り付けて、不正に値引きを受けようとする行為を防止可能である。
【００３６】
ラベル貼付け領域１３は、本体貼付け領域１２の下方側に隣接して位置するとともに、シート本体１１における本体粘着剤層１５側の面にこれを形成しており、商品の価格変更を表示する価格変更用ラベル１７（図２、後述）を貼り付けるための領域である。
したがって、タグ１Ａの通常価格２などの表示面に合わせて価格変更による割引率６および変更価格７などを表示することができる。
このラベル貼付け領域１３の大きさないし面積は、望ましくは価格変更用ラベル１７より大きいことが必要であり、価格変更用ラベル１７のまわりに透明なシート本体１１が枠取りするように貼り付ければ、その貼付け態様自体が購入者へのアピール度を向上可能である。
したがって、一般的なタグ１Ａとは異なる透明基材に価格変更用ラベル１７を貼り付けることになり、価格変更用ラベル１７が宙に浮いた感じに取り付けられることになるので、タグ１Ａとは別異な感じを受ける価格変更表示を行って、その宣伝効果を増強することができる。
【００３７】
販売促進情報表示領域１４は、ラベル貼付け領域１３のさらに下方側（本体貼付け領域１２の反対側）に隣接するように位置して、シート本体１１における本体粘着剤層１５側の面にこれを形成している。
図示の例では、「ＳＡＬＥ」のように、あるいは「お買い得品」や「特売」など、商品の販売促進につながる各種の販売促進情報１８を固定情報として、シート本体１１に目立つ色などであらかじめ印刷している。
【００３８】
なお、シート本体１１においては、本体貼付け領域１２とラベル貼付け領域１３との境界部に、ラベル貼付け領域１３を本体貼付け領域１２から切り離し可能なミシン目１９を形成している。
したがって、商品のセール期間が終了した時点で、このミシン目１９の部分でラベル貼付け領域１３および販売促進情報表示領域１４をシール本体１１（本体貼付け領域１２）から切り離すことができ、通常価格２の表示に戻しても、本体貼付け領域１２がタグ１Ａの裏面側に残るのみで、タグ１Ａの表面側自体には何らの変化もないので、作業性が良好であるとともに、体裁上にも問題はない。
【００３９】
また、価格変更用ラベル貼付けシート１０を取り扱いやすくするために、本体粘着剤層１５に仮着する台紙２０（剥離紙）を準備しておくこともできる。
とくに図１（２）に示すように、本体粘着剤層１５の部分が台紙２０に貼り付いて、価格変更用ラベル貼付けシート１０を台紙２０に仮着している。
台紙２０としては、単葉形態とした価格変更用ラベル貼付けシート１０を一枚ずつ仮着する構成にしてもよいし、台紙２０を帯状として複数枚の価格変更用ラベル貼付けシート１０を仮着可能とすることもできる。
このような構成の価格変更用ラベル貼付けシート１０は、標準品として大量に製造することができるとともに、任意の枚数を保管しておくことができ、後述するように、必要に応じて、かつタイミングよく、機動性をもって小売店の売場における価格変更処理に用いることができる。
【００４０】
図２は、価格変更用ラベル貼付けシート１０に価格変更用ラベル１７を貼り付けて価格変更を行う処理の説明図であり、図２（１）は、価格変更用ラベル貼付けシート１０に価格変更用ラベル１７を貼り付けた状態の平面図、図２（２）は、価格変更用ラベル１７付きの価格変更用ラベル貼付けシート１０をタグ１Ａに貼り付けた状態の平面図、図２（３）は、価格変更用ラベル１７付きの価格変更用ラベル貼付けシート１０をタグ１Ａに貼り付けた状態の側面図である。
とくに図２（１）に示すように、台紙２０から剥離した価格変更用ラベル貼付けシート１０のラベル貼付け領域１３（シート本体１１の本体粘着剤層１５側の面）に価格変更用ラベル１７を貼り付ける。
価格変更用ラベル１７は、可変情報としての前記割引率６および変更価格７などを適宜かつ適時印字表示しているもので、とくに図２（３）に示すように、ラベル基材２１と、ラベル粘着剤層２２と、を有する。
【００４１】
ラベル基材２１は、任意の紙材あるいは合成樹脂材からこれを構成し、たとえば、その地色をタグ１Ａのそれとは異なる色に色付けすることにより、価格変更用ラベル１７を目立たせ、購入者へのアピール度を増強可能である。
ラベル粘着剤層２２は、本体粘着剤層１５と同様に任意の粘着剤を塗工しているもので、価格変更用ラベル１７をラベル貼付け領域１３に貼り付け可能とする。
なお、価格変更用ラベル貼付けシート１０におけるラベル貼付け領域１３に本体粘着剤層１５と同様に粘着剤を塗工することにより、ラベル貼付け領域１３に価格変更用ラベル１７を貼り付け可能としてもよい。すなわち、販売促進情報表示領域１４を除くシート本体１１に粘着剤を塗工することにより、塗工工程の容易化はもちろん、台紙２０への価格変更用ラベル貼付けシート１０の仮着性を高めておくこともできる。
【００４２】
なお、販売促進情報表示領域１４は、これをシート本体１１の表面側あるいは裏面側のいずれに設けてもよい。
すなわち、図２（３）に示すように、ラベル貼付け領域１３と同じ側の面（表面）に前記販売促進情報１８（図中、実線）を設ける構成、あるいはラベル貼付け領域１３と反対側の面に反転印刷した販売促進情報１８Ａ（図中、仮想線）を設けて透明なシート本体１１を透過（透視）して販売促進情報１８Ａを正像として視認させる構成、さらには、ラベル貼付け領域１３と反対側の全面に大きく印刷した販売促進情報１８Ｂ（図中、仮想線）を設けてシート本体１１の裏面側（ラベル貼付け領域１３と反対側の面側）に販売促進情報１８Ｂを表示可能とした構成などを必要に応じて選択することにより、販売促進効果に変化を期待することができる。
【００４３】
価格変更用ラベル１７への割引率６および変更価格７の印字を行うには、商品の売場に直接かつ手軽に携帯して操作可能な携帯式ラベル印字貼付け機２３（図３）、あるいは携帯式ラベル印字貼付け機２３と同様な、小型の携帯式サーマルプリンター２４（図４）などを用いることが好ましい。
もちろん、店内の売場の状況や必要に応じて、その他の小型プリンターないしは卓上型プリンター（ともに図示せず）を用いることもできる。特に、プリンターを使用する場合は、バーコードなどの印字に適している。
図３は、携帯式ラベル印字貼付け機２３の概略側断面図であって、携帯式ラベル印字貼付け機２３は、左右一対の側板などによる機体本体２５と、機体本体２５に一体に形成したグリップ２６と、グリップ２６とともに握持および開放可能な操作レバー２７と、ラベル供給部２８と、印字部２９と、移送部３０と、剥離部３１と、貼付け部３２と、を有する。
【００４４】
グリップ２６と操作レバー２７との間にスプリングなどによる付勢部材３３を設けて、操作レバー２７をレバー軸３４のまわりに往復回動可能としている。
操作レバー２７の先端部には、印字部２９における前後一対の印字器３５を取り付けてあり、印字器３５の選択摘み３６を適宜回転することにより任意の印字用活字３７を選択可能としてある。
【００４５】
ラベル供給部２８は、帯状のラベル連続体３８をロール状に保持し、印字部２９および移送部３０方向に帯状に繰り出し可能である。
ラベル連続体３８は、帯状の台紙３９に複数枚の前記価格変更用ラベル１７（図２）を仮着している。
【００４６】
印字部２９は、上記印字器３５と、インキローラー４０と、プラテン４１と、を有する。
付勢部材３３の付勢力に抗して、操作レバー２７をグリップ２６方向に握持することにより、プラテン４１上のラベル連続体３８（価格変更用ラベル１７）に印字器３５の印字用活字３７を押し当てて、価格変更用ラベル１７への二行印字（たとえば、図２に示した割引率６および変更価格７）を行う。
なお、印字器３５の数を増やして三行以上の印字を可能とし、より多くの可変情報を価格変更用ラベル１７に印字可能とすることもできる。
【００４７】
移送部３０は、移送ローラー４２を有し、ラベル供給部２８からのラベル連続体３８を印字部２９、剥離部３１および貼付け部３２方向に所定ピッチで移送するとともに、剥離部３１における転向ピン４３において台紙３９のみを後方に転向させ、価格変更用ラベル１７を台紙３９から剥離可能とする。
【００４８】
貼付け部３２は、貼付けローラー４４を有し、転向ピン４３部分で剥離されてきた価格変更用ラベル１７を貼付けローラー４４が押し当てることにより、任意の部位（価格変更用ラベル貼付けシート１０のラベル貼付け領域１３）に貼り付け可能とする。
【００４９】
図４は、携帯式サーマルプリンター２４の概略側断面図であって、携帯式サーマルプリンター２４は、プリンターハウジング４５と、ラベル供給部４６と、印字部４７と、剥離部４８と、台紙巻取り部４９と、操作部５０と、を有する。
【００５０】
プリンターハウジング４５には、引っ掛け片５１を設けて、作業者のベルトなどに携帯式サーマルプリンター２４を引っ掛けて、携行、印字その他必要な作業を可能としている。
【００５１】
ラベル供給部４６には、サーマル紙５２をロール状に保持し、印字部４７方向に帯状に繰り出し可能とする。
サーマル紙５２は、ラベル連続体３８（図３）と同様に、帯状の台紙５３に、ラベル粘着剤層２２付きのラベル片５２Ａ（価格変更用ラベル１７に相当）を複数枚仮着しており、ラベル片５２Ａには感熱発色剤層（図示せず）を形成し、加熱により感熱発色を可能としてある。
なお、その他の小型あるいは卓上型プリンターなどにおいて熱転写インキリボンを用いる印字方式の場合には、感熱発色剤層を形成したラベル片５２Ａ（サーマル紙５２）ではなく、一般的なラベル基材を用いることができる。
【００５２】
印字部４７は、サーマルヘッド５４およびプラテンローラー５５を有し、操作部５０による印字データその他のコマンドの入力により、台紙５３への印字データの供給とともにプラテンローラー５５の回転により、サーマル紙５２（ラベル片５２Ａ）に印字可能とする。
【００５３】
台紙巻取り部４９は、剥離部４８における転向ピン５６の部分で転向された台紙５３を巻き取るもので、この転向により台紙５３からラベル片５２Ａを剥離する。
剥離されたラベル片５２Ａを指で取って、任意の部位（価格変更用ラベル貼付けシート１０のラベル貼付け領域１３）に貼り付け可能とする。
【００５４】
このように、携帯式ラベル印字貼付け機２３（図３）あるいは携帯式サーマルプリンター２４（図４）を用いて、店内の売場において機動的に価格変更用ラベル１７あるいはラベル片５２Ａなどを作成準備することができる。
【００５５】
こうした構成の価格変更用ラベル貼付けシート１０、および携帯式ラベル印字貼付け機２３（図３）あるいは携帯式サーマルプリンター２４（図４）を用いて、商品の価格を変更する処理について述べる。
商品の割引率６および変更価格７を表示した価格変更用ラベル１７（あるいはラベル片５２Ａ）をラベル貼付け領域１３に貼り付けるとともに（図２（１））、本体貼付け領域１２において価格変更用ラベル貼付けシート１０を値札１Ａの裏面側下方部に貼り付ける（図２（２）、図２（３））。
【００５６】
かくして、タグ１Ａ自体には何らの変更を加えることなく、その下方部に価格変更用ラベル貼付けシート１０を位置させることが可能となり、割引率６および変更価格７など購入者にとって必須の情報を価格変更用ラベル１７（あるいはラベル片５２Ａ）により明確に表示可能とするとともに、販売促進情報表示領域１４の販売促進情報１８、１８Ａ、１８Ｂによる販売促進情報の表示とも相俟って、購入者に商品の購入をアピールすることができる。
【００５７】
なお、セール期間が終了すれば、ミシン目１９においてラベル貼付け領域１３（および販売促進情報表示領域１４）を本体貼付け領域１２から切り離し、タグ１Ａによる表示を元に戻すことも容易かつ体裁もよい。
【００５８】
図５は、本発明の第２の実施例による価格変更用ラベル貼付けシート６０の説明図であって、図５（１）は、価格変更用ラベル貼付けシート６０の平面図、図５（２）は、価格変更用ラベル貼付けシート６０の側面図である。
価格変更用ラベル貼付けシート６０においては、既述の価格変更用ラベル貼付けシート１０（第１の実施例、図１）に加えて、シート本体１１の最下部に連続して透明な被覆領域６１を設けている。
この被覆領域６１は、ラベル貼付け領域１３および販売促進情報表示領域１４の合計領域と合同であって、販売促進情報表示領域１４に隣接するようにシート本体１１の最下部に位置し、ラベル貼付け領域１３側に折り畳んでラベル貼付け領域１３および販売促進情報表示領域１４を被覆可能である。
【００５９】
被覆領域６１には、販売促進情報表示領域１４との間の境界部に、スジ押しあるいはミシン目などによる折畳み線６２を設けることにより、被覆領域６１をラベル貼付け領域１３側に向かう折畳み操作を容易にしている。
【００６０】
被覆領域６１には、シート本体１１における前記本体粘着剤層１５（図１）と同じ面側に被覆粘着剤層６３を設け、被覆領域６１をラベル貼付け領域１３および販売促進情報表示領域１４に貼り付けた状態で被覆可能とする。
なお、この被覆粘着剤層６３は、被覆領域６１をラベル貼付け領域１３および販売促進情報表示領域１４に貼り付け可能であれば、被覆領域６１全面ではなく、その一部にこれを形成すればよいものである。
【００６１】
こうした構成の価格変更用ラベル貼付けシート６０においても、既述の価格変更用ラベル貼付けシート１０と同様にラベル貼付け領域１３部分に価格変更用ラベル１７（あるいはラベル片５２Ａ）を貼り付けることができるとともに、被覆領域６１によりラベル貼付け領域１３および販売促進情報表示領域１４を被覆して価格変更用ラベル１７（あるいはラベル片５２Ａ）を保護することができる。
【００６２】
すなわち図６は、価格変更用ラベル貼付けシート６０に価格変更用ラベル１７を貼り付けて価格変更を行う処理の説明図であり、図６（１）は、価格変更用ラベル貼付けシート６０に価格変更用ラベル１７を貼り付けた状態の平面図、図６（２）は、被覆領域６１を折り畳んでラベル貼付け領域１３および販売促進情報表示領域１４を被覆した状態の平面図、図６（３）は、価格変更用ラベル１７付きの価格変更用ラベル貼付けシート６０をタグ１Ａに貼り付けた状態の平面図、図６（４）は、価格変更用ラベル１７付きの価格変更用ラベル貼付けシート６０をタグ１Ａに貼り付けた状態の側面図である。
図６（１）に示すように、前記価格変更用ラベル貼付けシート１０（第１の実施例、図１）と同様に、価格変更用ラベル貼付けシート６０のラベル貼付け領域１３に価格変更用ラベル１７を貼り付ける。
【００６３】
図６（２）に示すように、被覆領域６１を折畳み線６２の部分で折り畳んでラベル貼付け領域１３および販売促進情報表示領域１４を被覆する。この被覆により、価格変更用ラベル１７をラベル貼付け領域１３からはがして不正に貼り替えようとする行為は事実上不可能となる。
さらに、価格変更用ラベル１７における印字内容（割引率６、変更価格７）を、外部からのこすれ、水やその他の汚れなどから保護可能である。
【００６４】
図６（３）に示すように、被覆領域６１により保護された価格変更用ラベル１７付きの価格変更用ラベル貼付けシート６０を本体貼付け領域１２における本体粘着剤層１５によってタグ１Ａの裏面側に貼り付ける。
【００６５】
かくして、ラベル貼付け領域１３上の価格変更用ラベル１７を保護した状態で、価格変更用ラベル貼付けシート１０の場合と同様に、価格変更用ラベル１７により割引率６および変更価格７を表示した状態で、タグ１Ａに価格変更用ラベル貼付けシート６０を貼り付けることができる。
もちろん、セール期間が終了すれば、被覆領域６１により保護された状態のラベル貼付け領域１３（および販売促進情報表示領域１４）をミシン目１９において本体貼付け領域１２から切り離し、タグ１Ａによる表示を元に戻すことも容易かつ体裁もよい。
【００６６】
なお本発明において、ラベル貼付け領域１３および販売促進情報表示領域１４の互いの相対位置関係は任意である。
たとえば、図７は、本発明の第３の実施例による価格変更用ラベル貼付けシート７０の平面図であって、価格変更用ラベル貼付けシート７０は、価格変更用ラベル貼付けシート６０（図５）におけるシート本体１１に対するラベル貼付け領域１３および販売促進情報表示領域１４の相対位置を逆転させている。
【００６７】
すなわち、シート本体１１は、その上方（前記吊下げ用孔５がある上部）から下方に向かって、本体貼付け領域１２、販売促進情報表示領域１４およびラベル貼付け領域１３の順に領域分けしてある。
さらに、本発明における被覆領域としては、少なくともラベル貼付け領域１３を被覆することができればよいものであって、ラベル貼付け領域１３と合同の被覆領域７１を設けている。
したがって、販売促進情報表示領域１４およびラベル貼付け領域１３を本体貼付け領域１２から切り離すためのミシン目１９は、本体貼付け領域１２と販売促進情報表示領域１４との間にこれを形成し、折畳み線６２は、ラベル貼付け領域１３と被覆領域７１との間にこれを形成する。
【００６８】
こうした構成の価格変更用ラベル貼付けシート７０によっても、既述の価格変更用ラベル貼付けシート６０（図５）と同様に、ラベル貼付け領域１３を被覆領域７１により被覆保護しつつ、ラベル貼付け領域１３上の価格変更用ラベル１７により割引率６や変更価格７などの可変情報をタイミングよく作業性良好に表示およびその変更を行うことができる。
もちろん、販売促進情報表示領域１４の位置やデザインを変化させることにより販売促進を図ることができる。
【００６９】
図８は、本発明の第４の実施例による価格変更用ラベル貼付けシート８０の平面図であって、価格変更用ラベル貼付けシート８０では、ラベル貼付け領域１３および販売促進情報表示領域１４をともにシート本体１１に対して隣接させた位置に設けている。
【００７０】
すなわち、価格変更用ラベル貼付けシート８０における販売促進情報表示領域１４は、ラベル貼付け領域１３の側面にも隣接しており、図中、上下縦方向に延びる領域としてこれを設け、既述の価格変更用ラベル貼付けシート６０（図５）や価格変更用ラベル貼付けシート７０（図７）とは異なったデザインを採用している。
【００７１】
したがって、価格変更用ラベル貼付けシート８０では、横方向に並列するラベル貼付け領域１３および販売促進情報表示領域１４をともに被覆する被覆領域８１を設ける。
また、ラベル貼付け領域１３および販売促進情報表示領域１４を本体貼付け領域１２から切り離すためのミシン目１９は、本体貼付け領域１２とラベル貼付け領域１３および販売促進情報表示領域１４との間にこれを形成するとともに、折畳み線６２は、ラベル貼付け領域１３および販売促進情報表示領域１４と被覆領域８１との間にこれを形成する。もちろん、ラベル貼付け領域１３のみを被覆するように被覆領域８１を設けることもできる。
【００７２】
こうした構成の価格変更用ラベル貼付けシート８０によっても、既述の価格変更用ラベル貼付けシート６０（図５）および価格変更用ラベル貼付けシート７０（図７）と同様に、ラベル貼付け領域１３を被覆領域８１により被覆保護しつつ、ラベル貼付け領域１３上の価格変更用ラベル１７により割引率６や変更価格７などの可変情報をタイミングよく作業性良好に表示およびその変更を行うことができる。
【００７３】
図９は、本発明の第５の実施例による価格変更用ラベル貼付けシート９０の説明図であって、図９（１）は、価格変更用ラベル貼付けシート９０の平面図、図９（２）は、価格変更用ラベル貼付けシート９０の側面図である。
価格変更用ラベル貼付けシート９０は、これを値札（タグ１Ａ）の表面（図１０（２）参照、後述）側に貼り付け可能とする。
すなわち、価格変更用ラベル貼付けシート９０における本体貼付け領域１２は、シート本体１１をタグ１Ａの表面に貼り付け可能としているもので、ラベル貼付け領域１３は、シート本体１１における本体貼付け領域１２の本体粘着剤層１５側とは反対側の面にこれを形成している。
なお、この価格変更用ラベル貼付けシート９０のシート本体１１は、これを透明な基材から構成しておくことが望ましい。
【００７４】
図１０は、価格変更用ラベル貼付けシート９０に価格変更用ラベル１７を貼り付けて価格変更を行う処理の説明図であって、図１０（１）は、価格変更用ラベル１７付きの価格変更用ラベル貼付けシート９０をタグ１Ａに貼り付けた状態の平面図、図１０（２）は、価格変更用ラベル１７付きの価格変更用ラベル貼付けシート９０をタグ１Ａに貼り付けた状態の側面図である。
とくに図１０（１）に示すように、台紙２０（図９）から剥離した価格変更用ラベル貼付けシート９０のラベル貼付け領域１３（シート本体１１の本体粘着剤層１５とは反対側の面）に価格変更用ラベル１７を貼り付けた状態で、本体粘着剤層１５により本体貼付け領域１２部分をタグ１Ａの表面下方部に貼り付ける（図１０（２））。
【００７５】
なお、販売促進情報表示領域１４は、これをシート本体１１の表面側あるいは裏面側のいずれに設けてもよい（図２の場合と同様）。
すなわち、図１０（２）に示すように、ラベル貼付け領域１３と同じ側の面（表面）に前記販売促進情報１８（図中、実線）を設ける構成、あるいはラベル貼付け領域１３と反対側の面に反転印刷した販売促進情報１８Ａ（図中、仮想線）を設けて透明なシート本体１１を透過（透視）して販売促進情報１８Ａを正像として視認させる構成、さらには、ラベル貼付け領域１３と反対側の全面に大きく印刷した販売促進情報１８Ｂ（図中、仮想線）を設けてシート本体１１の裏面側（ラベル貼付け領域１３と反対側の面側）に販売促進情報１８Ｂを表示可能とした構成などを必要に応じて選択することができる。
【００７６】
こうした構成の価格変更用ラベル貼付けシート９０によっても、既述の価格変更用ラベル貼付けシート１０（図１）などと同様に、ラベル貼付け領域１３上の価格変更用ラベル１７により割引率６や変更価格７などの可変情報をタイミングよく作業性良好に表示およびその変更を行うことができる。
さらに、商品のセール期間が終了した時点で、前記ミシン目１９の部分でラベル貼付け領域１３および販売促進情報表示領域１４をシール本体１１（本体貼付け領域１２）から切り離すことができ、通常価格２の表示に戻すことができる。
なお、本体貼付け領域１２がタグ１Ａの表面側下部に残ることになるが、本体貼付け領域１２自体が透明であって、タグ１Ａの表面自体に視覚的には大きな影響を及ぼすことはなく、体裁上にも問題は少ない。
【００７７】
図１１は、本発明の第６の実施例による価格変更用ラベル貼付けシート１００の説明図であって、図１１（１）は、価格変更用ラベル貼付けシート１００の平面図、図１１（２）は、価格変更用ラベル貼付けシート１００の側面図である。
価格変更用ラベル貼付けシート１００は、シート本体１１の裏面側全面に本体粘着剤層１５を設け、図９の価格変更用ラベル貼付けシート９０と同様に、値札（タグ１Ａ）の表面（図１２（２）参照、後述）側に貼り付け可能である。ただし、価格変更用ラベル貼付けシート１００は、既述の価格変更用ラベル貼付けシート９０（第５の実施例、図９）に加えて、シート本体１１の最下部に連続する第２の販売促進情報表示領域１０１を設けている。
【００７８】
この第２の販売促進情報表示領域１０１には、販売促進情報表示領域１４の販売促進情報１８と略同一の内容、すなわち商品の販売促進につながる各種の販売促進情報１０２が固定情報として、シート本体１１にあらかじめ印刷している。
【００７９】
この第２の販売促進情報表示領域１０１は、ラベル貼付け領域１３の下方側に位置して、シート本体１１における本体粘着剤層１５側の反対側の面にこれを形成している。
また、第２の販売促進情報表示領域１０１は、ラベル貼付け領域１３および販売促進情報表示領域１４の合計領域とほぼ合同であって、販売促進情報表示領域１４に隣接するようにシート本体１１の最下部に位置している。
【００８０】
さらに、第２の販売促進情報表示領域１０１は、販売促進情報表示領域１４との間の境界部に設けたスジ押しあるいはミシン目などによる折畳み線６２により、第２の販売促進情報表示領域１０１をラベル貼付け領域１３の反対側に折畳むことができる。そして、シート本体１１の第２の販売促進情報表示領域１０１の裏面側に設けた本体粘着剤層１５により、ラベル貼付け領域１３および販売促進情報表示領域１４の裏面側に貼着することができる。
【００８１】
図１２は、価格変更用ラベル貼付けシート１００に価格変更用ラベル１７を貼り付けて価格変更を行う処理の説明図であって、図１２（１）は、価格変更用ラベル１７付きの価格変更用ラベル貼付けシート１００をタグ１Ａに貼り付けた状態の平面図、図１２（２）は、価格変更用ラベル１７付きの価格変更用ラベル貼付けシート１００をタグ１Ａに貼り付けた状態の側面図、図１２（３）は、価格変更用ラベル貼付けシート１００をタグ１Ａに貼り付けた状態をタグ１Ａの裏面側から見た平面図である。
とくに図１２（１）に示すように、台紙２０（図１１）から剥離した価格変更用ラベル貼付けシート１００のラベル貼付け領域１３（シート本体１１の本体粘着剤層１５とは反対側の面）に価格変更用ラベル１７を貼り付けた状態で、本体粘着剤層１５により本体貼付け領域１２部分をタグ１Ａの表面下方部に貼り付ける（図１２（２））。
【００８２】
こうした構成の価格変更用ラベル貼付けシート１００によっても、既述の価格変更用ラベル貼付けシート１０（図１）などと同様に、ラベル貼付け領域１３上の価格変更用ラベル１７により割引率６や変更価格７などの可変情報をタイミングよく作業性良好に表示およびその変更を行うことができる。
さらに、商品のセール期間が終了した時点で、前記ミシン目１９の部分でラベル貼付け領域１３および販売促進情報表示領域１４をシール本体１１（本体貼付け領域１２）から切り離すことができ、通常価格２の表示に戻すことができる。
なお、本体貼付け領域１２がタグ１Ａの表面側下部に残ることになるが、本体貼付け領域１２自体が透明であって、タグ１Ａの表面自体に視覚的には大きな影響を及ぼすことはなく、体裁上にも問題は少ない。
【００８３】
さらに、価格変更用ラベル貼付けシート１００は、図１２（３）に示すように、タグ１Ａの表面側の販売促進情報表示領域１４に設けられた販売促進情報１８だけではなく、タグ１Ａの裏面側の第２の販売促進情報表示領域１０１にも販売促進情報１８と略同一の内容である販売促進情報１０２を設けているので、タグ１Ａの表裏両面からこの商品がセール品や割引対象品などであることをアピールでき、販売促進効果を高めることができる。
【符号の説明】
【００８４】
１  タグ（値札、図１３）
１Ａ  タグ（値札、図１４、図２（２）、図６（３））
２  通常価格
３  管理番号
４  バーコード
５  吊下げ用孔
６  割引率
７  変更価格
８  価格変更シール
１０  価格変更用ラベル貼付けシート（第１の実施例、図１）
１１  シート本体
１２  本体貼付け領域
１３  ラベル貼付け領域
１４  販売促進情報表示領域
１５  本体粘着剤層
１６  不正貼替え防止用切込み
１７  価格変更用ラベル
１８  販売促進情報
１８Ａ  ラベル貼付け領域１３と反対側の面に反転印刷した販売促進情報（図２（３））
１８Ｂ  ラベル貼付け領域１３と反対側の全面に大きく印刷した販売促進情報
１９  ミシン目
２０  台紙
２１  価格変更用ラベル１７のラベル基材
２２  価格変更用ラベル１７のラベル粘着剤層
２３  携帯式ラベル印字貼付け機（図３）
２４  携帯式サーマルプリンター（図４）
２５  携帯式ラベル印字貼付け機２３の機体本体（図３）
２６  グリップ
２７  操作レバー
２８  ラベル供給部
２９  印字部
３０  移送部
３１  剥離部
３２  貼付け部
３３  付勢部材
３４  レバー軸
３５  印字器
３６  選択摘み
３７  印字用活字
３８  ラベル連続体
３９  台紙
４０  インキローラー
４１  プラテン
４２  移送ローラー
４３  転向ピン
４４  貼付けローラー
４５  携帯式サーマルプリンター２４のプリンターハウジング（図４）
４６  ラベル供給部
４７  印字部
４８  剥離部
４９  台紙巻取り部
５０  操作部
５１  引っ掛け片
５２  サーマル紙
５２Ａ  サーマル紙５２のラベル片（価格変更用ラベル１７に相当）
５３  台紙
５４  サーマルヘッド
５５  プラテンローラー
５６  転向ピン
６０  価格変更用ラベル貼付けシート（第２の実施例、図５）
６１  被覆領域
６２  折畳み線
６３  被覆粘着剤層
７０  価格変更用ラベル貼付けシート（第３の実施例、図７）
７１  被覆領域
８０  価格変更用ラベル貼付けシート（第４の実施例、図８）
８１  被覆領域
９０  価格変更用ラベル貼付けシート（第５の実施例、図９）
１００  価格変更用ラベル貼付けシート（第６の実施例、図１１）
１０１  第２の販売促進情報表示領域
１０２  販売促進情報（販売促進情報１８と略同一内容）
Ｕ  上方
Ｌ  下方
【図１】
2014089378.tif 000003
【図２】
2014089378.tif 000004
【図３】
2014089378.tif 000005
【図４】
2014089378.tif 000006
【図５】
2014089378.tif 000007
【図６】
2014089378.tif 000008
【図７】
2014089378.tif 000009
【図８】
2014089378.tif 000010
【図９】
2014089378.tif 000011
【図１０】
2014089378.tif 000012
【図１１】
2014089378.tif 000013
【図１２】
2014089378.tif 000014
【図１３】
2014089378.tif 000015
【図１４】
2014089378.tif 000016